(57)【要約】      （修正有）【課題】墓等で、露天の石積の合端や、階段や土間張石の目地から、雨天時に雨水が内部に浸透し、その水分がコンクリート及びモルタル成分中に含まれる灰汁が石灰分を溶解することによって膨張し外部に漏れだし、著しく美観を損なう事例が見受けられ、美観を損なうのみならず、コンクリートの接合面にクラックが生じて漏水したり、コンクリートが剥がれたりする不具合を解消できる雨水排出穴を有する平面土間基礎を提供する。【解決手段】平面土間基礎のコンクリート５上部に、モルタル３を介して、露天の石積、石階段、土間張石、踏み掛け石の１つ以上を固着する際に、平面土間基礎のコンクリート上部から下部に貫通穴１を少なくとも１か所以上設けたことを特徴とする。【選択図】図２
0003198097.tif 000002
【実用新案登録請求の範囲】
【請求項１】
土間基礎コンクリート上部に、モルタルを介して、露天の石積、石階段、土間張石、踏み掛け石の１つ以上を固着する際に、前記平面土間コンクリート上部から下部に貫通穴を少なくとも１か所以上設けたことを特徴とする雨水排出穴。
【請求項２】
上記貫通穴の穴径が６ｃｍから１０ｃｍであることを特徴とする請求項１に記載の雨水排出穴。
【請求項３】
上記土間基礎コンクリート上部の上面が前記貫通穴側に傾斜してなることを特徴とする請求項１若しくは、請求項２に記載の雨水排出穴。
【請求項４】
上記土間基礎コンクリート上部の上面が前記貫通穴側に傾斜してなる傾斜角が、水平線に対して５°から８°であることを特徴とする請求項３に記載の雨水排出穴。
【考案の詳細な説明】
【技術分野】
【０００１】本考案は、墓等で、コンクリートやモルダル成分中に含まれる灰汁（アク）で石灰成分が溶け出さないうちに、速やかに水分を排出する雨水排出穴に関するものである。
【背景技術】
【０００２】墓等で、露天の石積の合端や、階段や土間張石の目地から、雨天時に雨水が内部に浸透し、その水分がコンクリート及びモルタル成分中に含まれる灰汁が石灰分を溶解することによって膨張し外部に漏れだし、著しく美観を損なう事例が見受けられる。
【先行技術文献】
【特許文献】
【０００３】
【特許文献１】特開平１１−３１５２７１公報
【０００４】
【考案の概要】
【考案が解決しようとする課題】
【０００５】本考案は、従来、墓等で、露天の石積の合端や、階段や土間張石の目地から、雨天時に雨水が内部に浸透し、その水分がコンクリート及びモルタル成分中に含まれる灰汁が石灰分を溶解することによって膨張し外部に漏れだし、著しく美観を損なう事例が見受けられ、美観を損なうのみならず、コンクリートの接合面にクラックが生じて漏水したり、コンクリートが剥がれたりする不具合を解消できる雨水排出穴を提供することである。
【課題を解決するための手段】
【０００６】（ア）そこで、本考案では土間コンクリート上部に、モルタルを介して、露天の石積、石階段、土間張石、踏み掛け石の１つ以上を被覆固着する際に、前記土間コンクリート上部から下部に穴径が６ｃｍから１０ｃｍである貫通穴を少なくとも１か所以上設けた。貫通穴の穴径が６ｃｍ以下では、排出穴が目詰まりする恐れがあり１０ｃｍ以上ではコンクリート強度に影響するので最大１０ｃｍまでとした。
（イ）更に土間コンクリート上部の上面が貫通穴側に傾斜し、その傾斜角  は、水平線に対して５°から８°とした。なお、傾斜角が５°以下の場合、排出の流れ留まる恐れがあり、傾斜角が８度以上ではコンクリートの厚みが確保できず、強度に影響する恐れがある。すなわち、上記の欠陥（欠点）を予防する為、雨水によって漏入水した水分をコンクリート及びモルタルの石灰成分が溶け出さないうちに、速やかに水分を排出すべくコンクリート天端に傾斜を施し地面に連通する排出穴（砂利を埋戻し＝盲暗渠）を広さに応じ数か所設け外部への漏出を防ぐようにした雨水排出穴である。
【考案の効果】
【０００７】本考案の雨水排出穴は、雨水によって漏入水した水分をコンクリート及びモルタルの石灰成分が溶け出さないうちに、速やかに水分を排出し、従来の不具合であるコンクリート及びモルタル成分中に含まれる灰汁が石灰分を溶解することによって膨張し外部に漏れだし、著しく美観を損なうこともなく、コンクリートの接合面にクラックが生じて漏水したり、コンクリートが剥がれたりする不具合を解消できるようになった。
【図面の簡単な説明】
【０００８】
【図１】本考案に係る一実施例の耐震納骨堂を示す上面図である。
【図２】図１のＡ−Ａ線矢視の耐震納骨堂を示す縦断面図である。
【考案を実施するための形態】
【０００９】本考案に係る１実施例を図１から図２を参照して、以下説明する。
【実施例】
【００１０】図１と図２に図示する如く、本実施例では、平面土間基礎コンクリート５上部に、モルタル３を介して、土間の張石４を固着する際に、前記平面土間基礎コンクリート５上部から下部に穴径が８ｃｍの貫通穴（排出穴）である下段土間及び階段の排出穴に粗砂利（モルタル３へ１ｃｍ〜２ｃｍ盛り上げ）を埋戻した盲暗渠を２０カ所設けた。更に平面土間基礎コンクリート５上部の上面が貫通穴１（排出穴）側に傾斜し、その傾斜（コンクリート天端の排水穴への土間勾配）２を、水平線に対して７°とした貫通穴１である。本実施例では、貫通穴（排出穴）１の穴径が８ｃｍとしたが、必要に応じて穴径を６ｃｍから１０ｃｍの範囲で選択できる。更に、本実施例では、平面土間基礎コンクリート５上部の上面傾斜角を、水平線に対して７°としたが、その傾斜角は、必要に応じて、水平線に対して５°から８°に選択できる。また、図２に図示の横入水穴１０が塞がる恐れがあり、粗砂利１４にて覆い、横入水穴１０の目詰まりを防ぐようにした。更に、石積の場合、石積裏コンクリートを、１基毎の断層を傾斜し、地面に連通する塩ビ管を横・縦にコンクリートに埋設し、横方向の塩ビ管に、１基毎に傾斜を施したコンクリートの断層に、漏水を導き、縦排出穴（塩ビ管）１２を経由して地面へ排出した。図１中の符号６、７、８、９は、それぞれ、１段目階段蹴り上げ板石、１段目階段踏み掛け石、２段目階段蹴り上げ板石、２段目階段踏み掛け石を図示している。図２中の符号１１は、横入水穴１０への勾配を示す。また、符号１３は、石積石（１基・２基・３基）を示し、更に、符号１５は、ステンレス網を示している。
【符号の説明】
【００１１】１・・・貫通穴（下段土間及び階段の排出穴：粗砂利（モルタルへ１ｃｍ〜２ｃｍ盛り上げ）を埋戻し盲暗渠
２・・・コンクリート天端の排水穴への土間勾配
２  ・・・モルタル
３  ・・・張石
４  ・・・平面土間基礎コンクリート
５  ・・・１段目階段蹴り上げ板石
６  ・・・１段目階段踏み掛け石
７  ・・・２段目階段蹴り上げ板石
８  ・・・２段目階段踏み掛け石
９  ・・・横入水穴（塩ビ管）
１０・・・横入水穴への勾配
１１・・・縦排出穴（塩ビ管）
１２・・・石積石（１基・２基・３基）
１４・・・粗砂利（荒目の砂利）
１５・・・ステンレス網
【図１】
0003198097.tif 000003
【図２】
0003198097.tif 000004
【手続補正書】
【提出日】平成27年3月27日(2015.3.27)
【手続補正１】
【補正対象書類名】実用新案登録請求の範囲
【補正対象項目名】全文
【補正方法】変更
【補正の内容】
【実用新案登録請求の範囲】
【請求項１】
平面土間基礎のコンクリート上部に、モルタルを介して、露天の石積、石階段、土間張石、踏み掛け石の１つ以上を固着する際に、前記平面土間基礎のコンクリート上部から下部に貫通穴を少なくとも１か所以上設けたことを特徴とする平面土間基礎。
【請求項２】
上記貫通穴の穴径が６ｃｍから１０ｃｍであることを特徴とする請求項１に記載の平面土間基礎。
【請求項３】
上記平面土間基礎のコンクリート上部の上面が上記貫通穴側に傾斜してなることを特徴とする請求項１若しくは、請求項２に記載の平面土間基礎。
【請求項４】
上記平面土間基礎のコンクリート上部の上面が上記貫通穴側に傾斜してなる傾斜角が、水平線に対して５°から８°であることを特徴とする請求項３に記載の平面土間基礎。